(57)【要約】【課題】バンド全体に柔軟性および耐衝撃性を持たせて連結ピンの変形や破損を防ぐ。【解決手段】硬質材料からなるバンド駒１の収納部２内に軟質合成樹脂からなる連結駒３を挿入し、この連結駒３の凸部６をバンド駒１から突出させ、この突出した連結駒３の凸部６をこれに隣接する他の連結駒３の凹部７内に挿入させ、この状態で凸部６と凹部７とを連結ピン４で連結した。従って、隣接するバンド駒１同士をほとんど隙間が生じることなく連結でき、これにより連結駒３をバンド駒１でほぼ完全に隠することができるほか、特に連結駒３が軟質合成樹脂で形成されているので、バンド全体を強く曲げたときに連結駒３が弾性変形して連結ピン４に加わる負荷や衝撃を緩和して軽減することができ、これによりバンド全体に柔軟性および耐衝撃性を持たせることができ、連結ピン４の変形や破損を防ぐことができる。【選択図】        図３
2005034294.tif 000002
【特許請求の範囲】
【請求項１】
連結方向に貫通する収納部が形成された硬質材料からなるバンド駒と、
このバンド駒の前記収納部に挿入され、前記連結方向の一側に凹部が形成され、且つ他側に前記バンド駒から突出する凸部が形成された軟質合成樹脂からなる連結駒と、
この連結駒の前記凹部とこの凹部に係合される隣接する他の連結駒の凸部とをその連結方向と直交するバンド幅方向に貫通して連結する連結ピンと
を備えたことを特徴とするバンド。
【請求項２】
前記連結駒の前記凸部の先端に、これに隣接するバンド駒の収納部の内部上面に接離可能に当接して互いに隣接するバンド駒同士の曲がり状態を規制する斜面が形成されていることを特徴する請求項１に記載のバンド。
【発明の詳細な説明】
【０００１】
【発明の属する技術分野】
この発明は、腕時計バンドなどのバンドに関する。
【０００２】
【従来の技術】
従来、腕時計バンドには、セラミック材料からなるバンド駒の内部にその連結方向に貫通する孔を形成し、このバンド駒の孔に金属材料からなる連結具を挿入すると共に、この連結具の一端側に設けられたヒンジ部をバンド駒の孔内から突出させ、この突出した連結具の一端側のヒンジ部をこれに隣接する他のバンド駒の孔に挿入させ、この挿入した連結具の一端側のヒンジ部とこれに隣接する他の連結具の他端側のヒンジ部とを連結ピンで連結するようにしたものがある（例えば、特許文献１参照。）。
【０００３】
【特許文献１】
実用新案登録第２５１８６７７号公報
【０００４】
【発明が解決しようとする課題】
しかしながら、この特許文献１の腕時計バンドでは、外部に露出するバンド駒がセラミック材料で構成されているので、バンド駒の表面が傷付きにくいばかりか、バンド駒内に挿入される連結具が金属材料で構成されているため、腕時計バンド全体の剛性を高めることができるが、柔軟性に乏しく、バンド全体を強く曲げたりすると、互いに隣接する連結具同士を連結する連結ピンに大きな負荷や衝撃が加わり、連結ピンが変形したり破損したりするという問題がある。
【０００５】
この発明の課題は、バンド全体に柔軟性および耐衝撃性を持たせ、バンド全体を強く曲げても連結ピンの変形や破損を防ぐことである。
【０００６】
【課題を解決するための手段】
この発明は、上記課題を解決するために、次のような構成要素を備えている。
なお、各構成要素には、後述する各実施形態の項で説明される各要素に付されている図面の参照番号などを括弧と共に付す。
請求項１に記載の発明は、図１〜図１０に示すように、連結方向に貫通する収納部（２）が形成された硬質材料からなるバンド駒（１）と、このバンド駒の前記収納部に挿入され、前記連結方向の一側に凹部（７）が形成され、且つ他側に前記バンド駒から突出する凸部（６）が形成された軟質合成樹脂からなる連結駒（３）と、この連結駒の前記凹部とこの凹部に係合される隣接する他の連結駒の凸部とをその連結方向と直交するバンド幅方向に貫通して連結する連結ピン（４）とを備えたことを特徴とするバンドである。
【０００７】
この発明によれば、硬質材料からなるバンド駒の収納部内に軟質合成樹脂からなる連結駒を挿入すると共に、この連結駒の凸部をバンド駒から突出させ、この突出した連結駒の凸部を、これ隣接する他のバンド駒内に挿入される他の連結駒の凹部内に挿入させ、この状態で凸部と凹部とをその連結方向と直交するバンド幅方向に貫通する連結ピンによって連結するので、隣接するバンド駒同士を隙間がほとんど生じることなく連結することができ、これにより軟質合成樹脂からなる連結駒をバンド駒でほぼ完全に隠することができるほか、特に連結駒が軟質合成樹脂で形成されているので、バンド全体に柔軟性を持たせることができ、このためバンド全体を強く曲げたときに連結駒が弾性変形し、連結ピンに加わる負荷や衝撃を緩和して軽減することができ、これによりバンド全体に柔軟性および耐衝撃性を持たせることができ、バンド全体を強く曲げても連結ピンの変形や破損を防ぐことができる。
【０００８】
請求項２に記載の発明は、図２および図５に示すように、前記連結駒（３）の前記凸部（６）の先端に、これに隣接する他のバンド駒（１）の収納部（２）の内部上面に接離可能に当接して互いに隣接するバンド駒同士の曲がり状態を規制する斜面（１０）が形成されていることを特徴する請求項１に記載のバンドである。
この発明によれば、連結駒の凸部の先端に斜面を形成したので、バンド全体を平坦な状態にしたときに、連結駒の凸部の斜面と隣接するバンド駒の収納部の内部上面との間に傾斜状の隙間が形成され、この状態でバンド全体を曲げると、連結駒の凸部の斜面が隣接するバンド駒の収納部の内部上面に当接するまで、バンド全体を容易に曲げることができ、このため、より一層、バンド全体をしなやかに曲げることができる。
【０００９】
【発明の実施の形態】
以下、図１〜図５を参照して、この発明を腕時計バンドに適用した一実施形態について説明する。
図１はこの発明の腕時計バンドの要部を示した平面図、図２は図１のＡ−Ａ矢視における断面図、図３は図２のＢ−Ｂ矢視における断面図、図４は図３のＣ−Ｃ矢視における断面図、図５は図２の腕時計バンドを曲げた状態を示した断面図である。この腕時計バンドは、その長手方向である連結方向（図１および図２では左右方向）に貫通する収納部２が形成されたバンド駒１と、このバンド駒１の収納部２内に挿入される連結駒３と、この連結駒３とこれに隣接する他の連結駒３との各端部同士を連結する連結ピン４とを備えている。
【００１０】
バンド駒１は、硬質材料である金属からなり、図４に示すように、金属平板を断面形状が長方形状になるように折り曲げることにより、内部に収納部２がその連結方向に貫通して形成されている。また、このバンド駒１の連結方向における一側の両端部（図３では右側の上下部）には、図３に示すように、ストッパ部５がそれぞれ形成されている。連結駒３は、ウレタン樹脂などの軟質合成樹脂からなり、図２および図３に示すように、バンド駒１の収納部２の内部とほぼ同じ大きさの平板状に形成され、その一側（図３では右側）にバンド駒１から突出する凸部６が形成され、他側（図３では左側）に凹部７が凸部６とほぼ同じ大きさで形成された構成になっている。
【００１１】
この場合、連結駒３の凸部６は、図３に示すように、バンド駒１の一側（同図では右側）に設けられたストッパ部５間に挿入されてバンド駒１から突出するように形成されている。この凸部６には、図３に示すように、連結ピン４が挿入する挿入孔８が連結方向と直交するバンド幅方向（図３では上下方向に）に形成されており、また凹部７側におけるバンド幅方向の両端部には、それぞれ連結ピン４が挿入する挿入孔９が互いに対応して形成されている。すなわち、これら挿入孔８、９は、バンド駒１の収納部２に挿入されてバンド駒１から突出した連結駒３の凸部６を、これに隣接する他の連結駒３の凹部７に挿入させたときに、各挿入孔８、９の孔中心が一致するように構成されている。
【００１２】
また、この連結駒３の凸部６の先端には、図２に示すように、これに隣接するバンド駒１の収納部２の内部上面に接離可能に当接して互いに隣接するバンド駒１、１同士の曲がり状態を規制する斜面１０が先端下がり（図２では右下がり）に形成されている。すなわち、この斜面１０は、腕時計バンド全体を円形状に湾曲させたときに、その直径が４０ｍｍ程度の円形状に湾曲するように、その傾斜角度が連結駒３の上面に対して１５°〜３０°の範囲で、好ましくは約１８°で形成されている。さらに、この連結駒３は、バンド駒１の収納部２に挿入されたときに、連結駒３の上面とバンド駒１の収納部２内の上面との間、および連結駒３の下面とバンド駒１の収納部２内の下面との間にそれぞれ隙間を有する程度の厚みに形成されていても良いが、連結駒３の上面がバンド駒１の収納部２内の上面に弾接し、且つ連結駒３の下面がバンド駒１の収納部２内の下面に弾接する程度の厚みに形成されていることが望ましい。
【００１３】
一方、連結ピン４は、図３に示すように、連結駒３の凸部６にそのバンド幅方向に貫通して設けられた挿入孔８と、この凸部６が挿入する他の連結駒３の凹部７の両端部にそのバンド幅方向に設けられた挿入孔９とに、その孔中心が一致した状態のときに挿入されることにより、隣接する連結駒３同士を回動可能に連結するように構成されている。この場合、バンド駒１の収納部２に挿入された連結駒３は、その凸部６側（図３では右側）に位置する両端面がバンド駒１のストッパ部５の内側面（図３では左側面）に当接することにより、バンド駒１から凸部６側に向けて抜け出すことがなく、また凹部７側（図３では左側）に位置する両端面がこれに隣接するバンド駒１のストッパ部５の外側面（図３では右側面）に当接することにより、バンド駒１から凹部７側に向けて抜け出すことがないように構成されている。
【００１４】
このような腕時計バンドを組み立てる場合には、まず、バンド駒１の収納部２に連結駒３を挿入して、この連結駒３の凸部６をストッパ部５間からバンド駒１の外部に突出させることにより、この連結駒３の凸部６側に位置する両端部をバンド駒１のストッパ部５に当接させる。この状態で、バンド駒１から突出した連結駒３の凸部６をこれに隣接する他の連結駒３の凹部７内に挿入し、この凸部６の挿入孔８と凹部７におけるバンド幅方向の両端部の挿入孔９との孔中心を一致させ、この凸部６の挿入孔８と凹部７の両端部の挿入孔９とに連結ピン４を挿入させて貫通させると、隣接する連結駒３、３同士が連結される。この状態で、連結された他方の連結駒３を他のバンド駒１の収納部２に挿入させて、その凸部６を上記と同様にバンド駒１から突出させる。これにより、連結ピン４の両端面がバンド駒１の収納部２によって外部から見えないように隠される。
【００１５】
この後、他のバンド駒１に挿入されて突出した連結駒３の凸部６を、更に他の連結駒３の凹部７内に挿入させ、上記と同じ作業を繰り返すことにより、複数のバンド駒１を複数の連結駒３で順次連結することができ、これにより腕時計バンドが構成される。この場合には、連結ピン４の両端面がバンド駒１の収納部２の内面に当接することにより、バンド駒１によって連結ピン４が凸部６と凹部７との各挿入孔８、９から抜け出すことがなく、連結ピン４をバンド駒１で確実に位置規制することができる。しかも、この状態では、連結ピン４の両端部がバンド駒１によって外部から見えないように隠されているので、外観的にもデザイン的にも好ましいものを得ることができる。
【００１６】
このように、この腕時計バンドによれば、隣接するバンド駒１、１同士をその両者の間に隙間がほとんど生じることなく連結することができ、これにより各連結駒３を各バンド駒１でほぼ完全に隠することができるので、硬質材料である金属からなるバンド駒１でウレタン樹脂などの軟質合成樹脂からなる連結駒３を確実に保護することができると共に、バンド駒１が金属製であることにより、金属調の腕時計バンドを得ることができる。また、連結駒３がウレタン樹脂などの軟質合成樹脂で形成されているので、バンド全体に柔軟性を持たせることができ、このため腕にしなやかに装着してフィットさせることができるほか、特にバンド全体を強く曲げたときに各連結駒３がそれぞれ弾性変形するので、連結ピン４に加わる負荷や衝撃を緩和して軽減することができ、これによりバンド全体に柔軟性および耐衝撃性を持たせることができ、バンド全体を強く曲げても連結ピン４の変形や破損を防ぐことができる。
【００１７】
また、この腕時計バンドでは、連結駒３の凸部６の先端に斜面１０が形成されているので、バンド全体を平坦な状態にしたときに、連結駒３の凸部６の斜面１０とこれに隣接する他のバンド駒１の収納部２の内部上面との間に傾斜状の隙間が形成され、この状態でバンド全体を曲げると、図５に示すように、連結駒３の凸部６の斜面１０がこれに隣接する他のバンド駒１の収納部２の内部上面に当接するまで、バンド全体を容易に曲げることができ、これによりバンド全体をしなやかに曲げることができ、より一層、腕にフィットさせて装着することができる。この場合、連結駒３は、その上面がバンド駒１の収納部２内の上面に弾接し、且つ連結駒３の下面がバンド駒１の収納部２内の下面に弾接するように構成されていれば、各バンド駒１および各連結駒３が勝手に曲がることがなく、常にバンド全体が平坦な状態になるように弾力的に保持することができ、これによりバンド全体に革バンドのような一体感を持たせることができる。
【００１８】
なお、上記実施形態では、バンド駒１を断面形状がほぼ長方形状になるように形成した場合について述べたが、これに限らず、例えば図６および図７に示す第１変形例のように、バンド駒１の下面に切欠き部を連結方向に沿って形成することにより、バンド駒１の下面に開放部１２を設けた構造でも良い。この場合、開放部１２は、バンド駒１の連結方向と直交するバンド幅方向の長さが連結駒３の凸部６または凹部７のバンド幅方向の長さよりも長く形成され、これによりバンド全体を曲げるときに、凸部６の下面が隣接する他のバンド駒１の下面に当接しないように構成されている。このような腕時計バンドでは、バンド全体を曲げて連結駒３の凸部６の斜面１０が隣接する他のバンド駒１の収納部２の内部上面に当接するまでバンド全体を曲げるときに、バンド駒１の開放部１２によって連結駒３の凸部６の下面が隣接する他のバンド駒１の下面に当接しないため、より一層、バンド全体をしなやかに曲げることができる。
【００１９】
また、上記実施形態では、連結ピン４が連結駒３の凸部６の挿入孔８とこれに隣接する他の連結駒３の凹部７における両端部の挿入孔９とに挿入され、連結ピン４の両端がバンド駒１の側面で覆い隠されている場合について述べたが、これに限らず、例えば図８に示す第２変形例のように、バンド駒１のバンド幅方向の両側面に連結ピン４が挿入する挿入孔１３をそれぞれ設け、この挿入孔１３が、連結駒３の凸部６の挿入孔８と、これに隣接する他の連結駒３の凹部７における両端部の挿入孔９とにそれぞれ対応して、これら挿入孔８、９の孔中心と一致するように構成しても良い。このように構成すれば、連結ピン４によって連結駒３をバンド駒１に連結することができるので、必ずしもバンド駒１にストッパ部５を設ける必要がなく、これによりバンド駒１の構造が簡単になり、低コスト化を図ることができるほか、特にバンド駒１にストッパ部５を設けない場合には、バンド駒１の収納部２に連結駒３を挿入する際、その連結方向の両側から連結駒３を挿入することができるので、組み付け作業性の向上をも図ることができる。
【００２０】
さらに、上記実施形態およびその各変形例では、ウレタン樹脂などの軟質合成樹脂からなる連結駒３の上面が硬質材料の金属からなるバンド駒１でほぼ完全に覆われている場合について述べたが、これに限らず、例えば図９および図１０に示す第３変形例のように、バンド駒１の上面に装飾孔１４を設け、この装飾孔１４を通して連結駒３が見えるように構成しても良く、また装飾孔１４内に連結駒３を食い込ませてバンド駒１の上面に露出させるように構成しても良い。この場合、装飾孔１４は、単純な長孔や円形孔などであっても良いが、図形や記号、あるいは模様などの形状の孔であっても良い。このように構成すれば、バンド駒１の上面から装飾孔１４に対応する連結駒３の一部を視認することができるので、金属調の腕時計バンドでありながら、装飾孔１４に対応する連結駒３による装飾効果をも得ることができ、デザイン的に好ましいものを得ることができる。
【００２１】
また、上記実施形態およびその各変形例では、バンド駒１の上面が平坦面に形成されているが、必ずしも平坦面である必要はなく、上方に凸となる湾曲面に形成した構造でも良い。この場合にも、バンド駒１の収納部２における内部上面の両側に連結駒３の上面を弾接させれば、上記実施形態と同様、各バンド駒１および各連結駒３が勝手に曲がることがなく、常にバンド全体が平坦な状態になるように弾力的に保持して、バンド全体に革バンドにような一体感を持たせることができる。
さらに、上記実施形態およびその各変形例では、バンド駒１の硬質材料として、金属を用いた場合について述べたが、これに限らず、例えばセラミックや硬質合成樹脂などの材料を用いても良い。
なおまた、上記実施形態およびその各変形例では、腕時計バンドに適用した場合について述べたが、これに限らず、洋服のバンドや鞄のバンドなど他のバンドにも広く適用することができる。
【００２２】
【発明の効果】
以上説明したように、この発明によれば、硬質材料からなるバンド駒の収納部内に軟質合成樹脂からなる連結駒を挿入すると共に、この連結駒の凸部をバンド駒から突出させ、この突出した連結駒の凸部を、これに隣接する他の連結駒の凹部内に挿入させ、この状態で凸部と凹部とをそのバンド幅方向に貫通する連結ピンで連結するので、隣接するバンド駒同士を隙間がほとんど生じることなく連結することができ、これにより軟質合成樹脂からなる連結駒をバンド駒でほぼ完全に隠することができるほか、特に連結駒が軟質合成樹脂で形成されているので、バンド全体に柔軟性を持たせることができ、このためバンド全体を強く曲げたときに連結駒が弾性変形するので、連結ピンに加わる負荷や衝撃を緩和することができ、これによりバンド全体に柔軟性および耐衝撃性を持たせることができ、バンド全体を強く曲げても連結ピンの変形や破損を防ぐことができる。
【００２３】
この場合、連結駒の凸部の先端に、これに隣接する他のバンド駒の収納部の内部上面に当接して互いに隣接するバンド駒同士の曲がり状態を規制する斜面を形成したことにより、バンド全体を平坦な状態にしたときに、連結駒の凸部の斜面と隣接するバンド駒の収納部の内部上面との間に傾斜状の隙間が形成され、この状態でバンド全体を曲げると、連結駒の凸部の斜面が隣接するバンド駒の収納部の内部上面に当接するまで、バンド全体を容易に曲げることができ、このため、より一層、バンド全体をしなやかに曲げることができる。
【図面の簡単な説明】
【図１】この発明を腕時計バンドに適用した一実施形態を示した要部の平面図。
【図２】図１のＡ−Ａ矢視における断面図。
【図３】図２のＢ−Ｂ矢視における断面図。
【図４】図３のＣ−Ｃ矢視における断面図。
【図５】図２の腕時計バンドを曲げた状態を示した断面図。
【図６】図１のバンド駒の第１変形例を示した断面図。
【図７】図６のＤ−Ｄ矢視における断面図。
【図８】図１のバンド駒の第２変形例を示した断面図。
【図９】図１のバンド駒の第３変形例を示した平面図。
【図１０】図９のＥ−Ｅ矢視における断面図。
【符号の説明】
１  バンド駒
２  収納部
３  連結駒
４  連結ピン
５  ストッパ部
６  凸部
７  凹部
８、９、１３  挿入孔
１０  斜面
１２  開放部
【図１】
2005034294.tif 000003
【図２】
2005034294.tif 000004
【図３】
2005034294.tif 000005
【図４】
2005034294.tif 000006
【図５】
2005034294.tif 000007
【図６】
2005034294.tif 000008
【図７】
2005034294.tif 000009
【図８】
2005034294.tif 000010
【図９】
2005034294.tif 000011
【図１０】
2005034294.tif 000012